(57)【要約】【課題】  シャッター部材を構成する板状体間の継ぎ目に、他の部材が視認されることなく、優れた外観を得ることができることができるシャッター部材付き家具を提供する。【解決手段】  作業台となる天板と、当該天板を挟持する左右の側板と、当該各側板の内周縁に備わるレールと、当該レールに沿って摺動可能な複数枚の板状体からなるシャッター部材とを有するシャッター部材付き家具であって、上記シャッター部材の手前側の板状体はその先端側の側面が上記レールに沿って摺動し、上記シャッター部材の手前側以外の板状体は、当該板状体の内側に固着されるスライド部材を介して上記レールに沿って摺動する。【選択図】        図１
0003124729.tif 000002
【実用新案登録請求の範囲】
【請求項１】
作業台となる天板と、
当該天板を挟持する左右の側板と、
当該各側板の内周縁に備わるレールと、
当該レールに沿って摺動可能な複数枚の板状体からなるシャッター部材とを有するシャッター部材付き家具であって、
上記シャッター部材の手前側の板状体はその先端側の側面が上記レールに沿って摺動し、
上記シャッター部材の手前側以外の板状体は、当該板状体の内側に固着されるスライド部材を介して上記レールに沿って摺動することを特徴とするシャッター部材付き家具。
【請求項２】
上記側板の上縁は、上記天板より高い位置に形成されることを特徴とする請求項１に記載のシャッター部材付き家具。
【請求項３】
上記天板の奥行きは、上記天板の上面から上記側板上縁までの距離と同一又はそれより長く、上記板状体の側辺長さは、上記天板の上面から上記側板上縁までの距離と略同一であることを特徴とする請求項１又は２に記載のシャッター部材付き家具。
【請求項４】
上記手前側の板状体と、当該手前側の板状体と接続される他の板状体とは、スライド丁番で連結されることを特徴とする請求項１〜３のいずれかに記載のシャッター部材付き家具。
【考案の詳細な説明】
【技術分野】
【０００１】
この考案は、家具の正面、上面、背面等を覆うシャッター部材を備えた家具、特に、シャッター部材が複数枚の板状体からなるシャッター部材付き家具に関するものである。
【背景技術】
【０００２】
収納棚の前面側に位置する上下方向に開閉自在な開閉蓋を備えたキャビネットが特許文献１に開示されている。このキャビネットは、机の天板高さに対応する位置に配設された収納棚２を有し、その左右端部に連結された側板７，７の円弧状上端部に沿って開閉蓋５を備えたものである。この開閉蓋５としては、シャッターを使用してもよい旨記載されている（段落００１８）。しかし、シャッターがどのような構造であるかは記載されていない。
【０００３】
シャッタが特許文献２に開示されている。このシャッタは、帯板状のプレート１０，１０相互を屈曲自在に連結するヒンジ筒１１で構成される（段落００２３）。しかし、ヒンジ筒１１は外側から視認可能であるため、見栄えが悪いものである。また、シャッタ開閉のためにプーリ装置３１等が必要であるため、部品点数が多く、構造が複雑である。
【０００４】
【特許文献１】特開２００２−３２５６３７号公報
【特許文献２】特開２００３−８２９５４号公報
【考案の開示】
【考案が解決しようとする課題】
【０００５】
この考案は上記従来技術を考慮したものであって、シャッター部材を構成する板状体間の継ぎ目に、他の部材が視認されることなく、優れた外観を得ることができ、また、簡単な構造で、天板上に物が載置された状態でも迅速にシャッター部材を閉塞して見栄えをよくすることができるシャッター部材付き家具の提供を目的とするものである。
【課題を解決するための手段】
【０００６】
前記目的を達成するため、請求項１の考案では、作業台となる天板と、当該天板を挟持する左右の側板と、当該各側板の内周縁に備わるレールと、当該レールに沿って摺動可能な複数枚の板状体からなるシャッター部材とを有するシャッター部材付き家具であって、上記シャッター部材の手前側の板状体はその先端側の側面が上記レールに沿って摺動し、上記シャッター部材の手前側以外の板状体は、当該板状体の内側に固着されるスライド部材を介して上記レールに沿って摺動することを特徴とするシャッター部材付き家具を提供する。
【０００７】
また、請求項２の考案では、請求項１の考案において、上記側板の上縁は、上記天板より高い位置に形成されることを特徴としている。
【０００８】
また、請求項３の考案では、請求項１又は２の考案において、上記天板の奥行きは、上記天板の上面から上記側板上縁までの距離と同一又はそれより長く、上記板状体の側辺長さは、上記天板の上面から上記側板上縁までの距離と略同一であることを特徴としている。
【０００９】
また、請求項４の考案では、上記手前側の板状体と、当該手前側の板状体と接続される他の板状体とは、スライド丁番で連結されることを特徴としている。
【考案の効果】
【００１０】
請求項１の考案によれば、板状体がその内側に固着されるスライド部材を介してレールに沿って摺動するため、板状体同士の継ぎ目にレールを摺動させるための部材を介在させる必要がなくなり、見栄えのよいシャッター部材を得ることができる。
【００１１】
請求項２の考案によれば、側板の上縁は、天板より高い位置に形成されるため、天板上に物が載置された状態でも迅速にシャッターを閉塞して家具としての見栄えを損なうことを防止できる。
【００１２】
請求項３の考案によれば、板状体の側辺長さが比較的長く形成されるため、少数の板状体でシャッター部材を形成でき、外観の優れた構成を実現できる。このように板状体の側辺長さが長ければ、板状体巻取りのためのプーリ装置等も不要となり、構造が簡単となる。また、板状体の面が比較的広いため、表面が汚れたとき等に拭き取り清掃を容易に行うことができる。
【００１３】
請求項４の考案によれば、スライド丁番を用いて上記手前側の板状体と、当該手前側の板状体と接続される他の板状体とを連結するため、シャッター部材の開閉を円滑に行うことができるとともに、開閉の際の操作性が高まる。
【考案を実施するための最良の形態】
【００１４】
この考案は、作業台となる天板と、当該天板を挟持する左右の側板と、当該側板の周縁に備わるレールと、当該レールに沿って摺動可能な複数枚の板状体からなるシャッター部材とを有するシャッター部材付き家具であって、上記シャッター部材の手前側の板状体はその先端側の側面が上記レールに沿って摺動し、上記シャッター部材の手前側以外の板状体は、当該板状体の内側に固着されるスライド部材を介して上記レールに沿って摺動することを特徴とするシャッター部材付き家具である。
【実施例１】
【００１５】
図１は、本考案に係るシャッター部材付き家具のシャッター部材の開閉動作を順番に示した概略構成図である。また、図２（Ａ）は、図１（Ａ）の上面図、（Ｂ）は、図１（Ａ）の正面図、（Ｃ）は、図１（Ｃ）の正面図である。また、図３は板状体を連結するスライド丁番の概略構成図である。
【００１６】
この例では、シャッター部材付き家具として、キッチンの流し台を示すが、この考案はこれに限定されるものではない。シャッター部材付き家具１は、天板２と側板３で構成される。天板３の下側には、用途に応じて戸棚４や引き出し５が備わる（図１では省略）。側板３の周縁（図では上縁前側と側縁前側）にはレール６が備わる。
【００１７】
シャッター部材７は、複数枚（図では２枚）の板状体８ａ，８ｂで構成される。板状体８ａ，８ｂは、図３に示すように、スライド丁番１３で連結される。なお、図３（Ａ）はシャッター部材７を閉塞した状態（図１（Ａ））、図３（Ｂ）はシャッター部材を開放した状態（図１（Ｃ））である。このようにスライド丁番１３を用いれば、シャッター部材の開閉を円滑に行うことができるとともに、開閉の際の操作性が高まる。
【００１８】
先端側の板状体８ａは、その側面の先端側に設けたピン（図示省略）をレール６内に摺動自在に嵌め込まれ、レール６に沿って摺動する。板状体８ｂは、その内側にスライド部材９が固着され（図では２個のスライド部材９）、このスライド部材９に備わるピポット（図示省略）を介して、レール６を摺動する。このように、板状体８ｂがその内側に固着されるスライド部材９を介してレール６に沿って摺動するため、板状体８ａ，８ｂ同士の継ぎ目にレール６を摺動させるための部材を介在させる必要がなくなり、見栄えのよいシャッター部材７を得ることができる。
【００１９】
板状体８ａの側辺長さは、天板２の上面から側板３の上縁までの距離と略同一である。これは、板状体８ａの側辺長さが比較的長いことを意味する。すなわち、本考案が適用されるシャッター部材付き家具は、シャッター部材７で覆われる天板２上の空間が、所定高さを有することを必要とする。それは、図示したように、キッチンの流し台でいえば、蛇口程度の高さであり、この高さは、家具本体の大体１／３〜１／４程度である。このような構成では、板状体８ａの側辺長さが家具本体の１／３〜１／４程度の長さとなるため、上述したように、通常のシャッターよりも板状体８ａの側辺長さが比較的長いということになる。このように板状体８ａの側辺長さが長ければ、板状体巻取りのためのプーリ装置等も不要となり、構造が簡単となる。また、板状体８ａの面が比較的広いため、表面が汚れたとき等に拭き取り清掃を容易に行うことができる。
【００２０】
板状体８ｂも板状体８ａと同様の側辺長さである。したがって、少数の板状体でシャッター部材７を形成でき、外観の優れた構成を実現できる。これに伴い、天板２の奥行きは、天板２の上面から側板３の上縁までの距離、すなわち板状体８ｂの側辺の長さと同一又はそれより長いものとなる。図では、天板３の奥行きは板状体８ｂの側辺の長さより長いため、天板３の上部すべてを板状体８ｂで覆うことができないため、カバー材１１を天板３の上部に設けている。カバー材１１は、天板３の後側の背面板１２の上部に固定される。
【００２１】
側板３の上縁は、天板２よりも高い位置に形成されるため、シャッター部材７を閉塞した状態（図１（Ａ）、図２（Ａ）、図２（Ｂ））では、天板２の上部の空間がシャッター部材７により覆われる。したがって、天板２の上面をシャッター部材７で隠すことができる。これにより、天板２上に物が載置された状態でも迅速にシャッター部材７を閉塞して見栄えをよくすることができる。
【００２２】
シャッター部材７を開放するときは、板状体８ｂに備わる取っ手１０を引く等して、図１（Ｂ）に示すように、板状体８ａ，８ｂをレール６に対して摺動させる。その後、図１（Ｃ）、図２（Ｃ）に示すように、シャッター部材７が開放される。
【実施例２】
【００２３】
図４は本考案に係る別のシャッター部材付き家具のシャッター部材の開閉動作を順番に示した概略構成図である。
この例におけるシャッター部材付き家具１は、レール６が側板３の上側周縁に設けられ、３枚の板状体８ａ，８ｂ，８ｃでシャッター部材７を構成するものである。（Ａ）はシャッター部材７が開放した状態を示す。このように、板状体８ｂ，８ｃを家具１の背面側（背板１４の内側）に収納する構成とすることにより、家具１の前側が開放されるため、天板２で作業をしながら引き出し５を開閉することができる。シャッター部材７を閉塞する場合は、（Ｂ）のように板状体８ａを手前側に引っ張り、（Ｃ）に示すように、シャッター部材７で天板２上の空間を覆う。
【００２４】
なお、板状体８ｂ，８ｃは通常のヒンジ（例えばミシン丁番）で連結される。その他の構成、作用、効果は図１で示した例と同様である。また、図中１５は天板２の後部に設けた遮蔽板であり、シャッター部材７を開放時に家具１の後側に収納された板状体８ｂ，８ｃを覆い隠すものである（（Ａ）参照）。遮蔽番１５の先端には天板２上を照らすライト１６が備わる。背板１４の内側には、ストッパ部材１７が突出して備わり、シャッター部材７開放時に板状体８ｃ後端に当接して板状体８ｃを止める。
【００２５】
また、上記実施例において、シャッター部材７を家具１の前後側にそれぞれ摺動するように開閉可能に設けて、天板２の前後いずれの側からも作業可能としてもよい。
【産業上の利用可能性】
【００２６】
この考案は、天板上に物を載置する家具全般に適用できる。
【図面の簡単な説明】
【００２７】
【図１】本考案に係るシャッター部材付き家具のシャッター部材の開閉動作を順番に示した概略構成図である。
【図２】（Ａ）は、図１（Ａ）の上面図、（Ｂ）は、図１（Ａ）の正面図、（Ｃ）は、図１（Ｃ）の正面図である。
【図３】板状体を連結するスライド丁番の概略構成図である。
【図４】本考案に係る別のシャッター部材付き家具のシャッター部材の開閉動作を順番に示した概略構成図である。
【符号の説明】
【００２８】
１：シャッター部材付き家具、２：天板、３：側板、４：戸棚、５：引き出し、６：レール、７：シャッター部材、８ａ，８ｂ，８ｃ：板状体、９：スライド部材、１０：取っ手、１１：カバー材、１２：背面板、１３：スライド丁番、１４：背板、１５：遮蔽版、１６：ライト、１７：ストッパ部材
【図１】
0003124729.tif 000003
【図２】
0003124729.tif 000004
【図３】
0003124729.tif 000005
【図４】
0003124729.tif 000006